(57)【要約】【課題】  携帯端末の表示画面に、プラントの監視情報を簡易な操作で視認し易く表示させることが可能なプラント監視情報表示システム、プラント監視情報生成装置、携帯端末、プラント監視情報表示方法、プラント監視情報表示プログラムを提供する。【解決手段】  監視対象のプラントのプロセス値ごとの、対応する携帯端末の４０ダイヤルボタン情報と表示枠の色情報とを含む画面構成情報を予め記憶する画面構成情報記憶部２１と、取得したプロセス値を、それぞれ対応する装飾情報に基づいて装飾された表示枠内に表示するとともに携帯端末４０の複数のダイヤルボタン部４１に対応し、それぞれ対応する装飾情報に基づいて装飾された表示情報を生成し、選択されたダイヤルボタン部４１の情報に対応するプロセス値を拡大して表示するように表示情報を更新する表示情報生成部２６と、生成または更新された表示情報を携帯端末４０に表示する表示部４４とを備える。【選択図】図１
2011164958.tif 000002
【特許請求の範囲】
【請求項１】
複数のダイヤルボタンおよび表示画面が設置された携帯端末に、監視対象のプラントの複数のプロセス値を表示するプラント監視情報表示システムにおいて、
前記プロセス値ごとの、対応する前記携帯端末のダイヤルボタン情報と、表示枠の装飾情報とを含む画面構成情報を予め記憶する画面構成情報記憶部と、
前記プラントから複数のプロセス値を取得するプロセス値取得部と、
前記画面構成情報記憶部に記憶された画面構成情報を利用して、前記プロセス値取得部で取得された各プロセス値を、それぞれ対応する装飾情報に基づいて装飾された表示枠内に表示するとともに、前記携帯端末の複数のダイヤルボタンに対応し、それぞれ対応する装飾情報に基づいて装飾された表示情報を生成し、
前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、
前記表示情報生成部で生成または更新された表示情報を、前記携帯端末の表示画面に表示する表示部と、
を備えることを特徴とするプラント監視情報表示システム。
【請求項２】
前記プラント監視情報表示システム内に、前記携帯端末に接続され、前記画面構成情報記憶部、前記プロセス値取得部、および前記表示情報生成部を有する監視サーバを有し、
前記表示情報生成部で生成される表示情報は、前記携帯端末の表示画面に表示させるための画像データであり、
前記表示情報生成部は、生成した前記画像データを、前記携帯端末の表示部に表示させるために送信する
ことを特徴とする請求項１に記載のプラント監視情報表示システム。
【請求項３】
前記携帯端末が、前記画面構成情報記憶部、前記表示情報生成部、および前記表示部を有し、
前記画面構成情報記憶部に記憶される画面構成情報は、ＸＭＬ形式の情報で構成され、
前記表示情報生成部で生成される表示情報は、前記ＸＭＬ形式の情報で構成される画面構成情報に基づいて生成される画像データである
ことを特徴とする請求項１に記載のプラント監視情報表示システム。
【請求項４】
前記画面構成情報記憶部に記憶される画面構成情報に含まれる装飾情報は、表示色情報、または点滅／連続表示情報である
ことを特徴とする請求項１〜３いずれか１項に記載のプラント監視情報表示システム。
【請求項５】
複数のダイヤルボタンおよび表示画面が設置され、この表示画面に監視対象のプラントの複数のプロセス値を表示する携帯端末に接続されたプラント監視情報生成装置において、
前記プロセス値ごとの、対応する前記携帯端末のダイヤルボタン情報と、表示枠の装飾情報とを含む画面構成情報を予め記憶する画面構成情報記憶部と、
前記プラントから複数のプロセス値を取得するプロセス値取得部と、
前記画面構成情報記憶部に記憶された画面構成情報を利用して、前記プロセス値取得部で取得された各プロセス値を、それぞれ対応する装飾情報に基づいて装飾された表示枠内に表示するとともに、前記携帯端末の複数のダイヤルボタンに対応し、それぞれ対応する装飾情報に基づいて装飾された表示情報を生成し、
前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、
前記表示情報生成部で生成または更新された表示情報を、前記携帯端末の表示画面に表示させるために送信する送信部と
を備えることを特徴とするプラント監視情報生成装置。
【請求項６】
複数のダイヤルボタンおよび表示画面が設置され、監視対象のプラントから複数のプロセス値を取得するプロセス値取得装置に接続された携帯端末において、
前記プロセス値ごとの、対応する前記携帯端末のダイヤルボタン情報と、表示枠の装飾情報とを含む画面構成情報を予め記憶する画面構成情報記憶部と、
前記複数のプロセス値を前記プロセス値取得装置から取得し、前記画面構成情報記憶部に記憶された画面構成情報を利用して、取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、
前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、
前記表示情報生成部で生成または更新された表示情報を、前記表示画面に表示する表示部と、
を備えることを特徴とする携帯端末。
【請求項７】
複数のダイヤルボタンおよび表示画面が設置された携帯端末に、監視対象のプラントの複数のプロセス値を表示するプラント監視情報表示システムが、
前記プロセス値ごとの、対応する前記携帯端末のダイヤルボタン情報と、表示枠の色情報とを含む画面構成情報を予め記憶する画面構成情報記憶ステップと、
前記プラントから複数のプロセス値を取得するプロセス値取得ステップと、
前記画面構成情報記憶ステップで記憶された画面構成情報を利用して、前記プロセス値取得ステップで取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、
前記携帯端末のダイヤルボタンの中から選択されたダイヤルボタンの情報を取得すると、この選択されたダイヤルボタンに対応するプロセス値を拡大して表示するように、生成した表示情報を更新する表示情報生成ステップと、
前記表示情報生成ステップにより生成または更新された表示情報を、前記携帯端末の表示画面に表示する表示ステップと、
を有することを特徴とするプラント監視情報表示方法。
【請求項８】
複数のダイヤルボタンおよび表示画面が設置され、監視対象のプラントから複数のプロセス値を取得するプロセス値取得装置に接続された携帯端末に、
前記プロセス値ごとの、対応する前記携帯端末のダイヤルボタン情報と、表示枠の色情報とを含む画面構成情報を予め記憶する画面構成情報記憶機能と、
前記複数のプロセス値を前記プロセス値取得装置から取得し、前記画面構成情報記憶機能により記憶された画面構成情報を利用して、取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、
前記携帯端末のダイヤルボタンの中から選択されたダイヤルボタンの情報を取得すると、この選択されたダイヤルボタンに対応するプロセス値を拡大して表示するように、生成した表示情報を更新する表示情報生成機能と、
前記表示情報生成機能により生成または更新された表示情報を、前記表示画面に表示する表示機能と、
を実行させるためのプラント監視情報表示プログラム。
【発明の詳細な説明】
【技術分野】
【０００１】
本発明は、プラントの監視情報を携帯端末に表示するためのプラント監視情報表示システム、およびこれに利用するプラント監視情報生成装置、携帯端末、プラント監視情報表示方法、プラント監視情報表示プログラムに関する。
【背景技術】
【０００２】
従来、水処理プラント等を監視するプラント監視システムでは、プラント内の設備機器のON／OFF状態や処理中の流体の流量等を示すプロセス値を監視画面に表示させることにより、プラントの稼働状態の情報を監視員に提供している。
【０００３】
これらのプロセス値等は、図１１に示すようなプロセスフローと呼ばれるプロセスの流れを示す画面上に、アイコンや数値シンボルを用いてグラフィカルに表示することで視覚的に監視しやすくしている。
【０００４】
図１１では、並列状態に複数設置されたポンプ群１により流入された水が、その下流で２分岐された一方の流路上で弁２により流量が調整されて貯水槽３に貯水され、さらにこの貯水された水が弁４により調整された流量で流出されるとともに、ポンプ群１下流の他方の流路上で弁５により流量が調整されて槽６に貯水され、さらにこの貯水された水が弁７により調整された流量で流出されるように処理が行われるプラントの、プロセスの流れが示されている。これらのポンプ群１、弁２および５、貯水槽３および６、弁４および７は、プロセスフロー画面上ではそれぞれの特徴を示すアイコンを用いて表示されている。
【０００５】
そして、このプロセスフロー画面には、プロセス値として取得された、ポンプ群１に流入される水の流量を示すプロセス値が数値シンボル１ａにより「3.25」と表示され、弁２で調整された流量を示すプロセス値が数値シンボル２ａにより「2.56」と表示され、貯水槽３の貯水量を示すプロセス値が数値シンボル３ａにより「4.35」と表示され、弁４で調整された流量を示すプロセス値が数値シンボル４ａにより「2.66」と表示され、弁５で調整された流量を示すプロセス値が数値シンボル５ａにより「2.56」と表示され、槽６の貯水量を示すプロセス値が数値シンボル６ａにより「4.35」と表示され、弁７で調整された流量を示すプロセス値が数値シンボル７ａにより「2.66」と表示されている。
【０００６】
このように、取得したプロセス値をプロセスフロー画面上に重畳させて表示させることで、監視員が監視しやすい画面を提供することができる。
【０００７】
またこのようにプロセス値が表示されたプロセスフロー画面を携帯端末の表示画面上に表示させることにより、移動中の監視員に監視情報を提供するも行われている。監視情報を携帯端末に提供することにより、例えば一般商用サービスによりサーバで管理する高速道路上の渋滞状況を携帯端末の表示画面に表示させているように、水処理を行うプラント等の稼動状態を表示させることができる。
【０００８】
携帯端末の表示画面上に監視情報を表示させる場合にも、上記のようにグラフィカルに構成したプロセスフロー画面を用いることによりプラントの稼働状態を監視しやすくなる。
【０００９】
しかし、携帯端末の表示画面は一般的に面積が小さく、プロセスフロー画面を表示させたときに数値表示が小さくなってしまい視認性が悪くなるという問題があった。
【００１０】
この問題を解決するため、特許文献１に記載の監視システムでは、携帯端末の表示部にメニュー画面から監視画面へ、さらに監視画面から監視データの画面へ、階層的に切り替えて表示させることで、所望の監視データを視認しやすい大きさで表示させるようにしている。
【先行技術文献】
【特許文献】
【００１１】
【特許文献１】特開２００３−２２３２１８号公報
【発明の概要】
【発明が解決しようとする課題】
【００１２】
しかし、特許文献１の監視システムを利用して所望の監視データを表示させるためには、プロセスフロー画面から何度も表示画面を切り替えなければならず、異なる監視データを連続して表示させた場合に操作が煩雑になるという問題があった。
【００１３】
本発明は上記事情に鑑みてなされたものであり、携帯端末の表示画面に、プラントの監視情報を簡易な操作で視認し易く表示させることが可能なプラント監視情報表示システム、およびこれに利用するプラント監視情報生成装置、携帯端末、プラント監視情報表示方法、プラント監視情報表示プログラムを提供することを目的とする。
【課題を解決するための手段】
【００１４】
上記目的を達成するための本発明のプラント監視情報表示システムは、複数のダイヤルボタンおよび表示画面が設置された携帯端末に、監視対象のプラントの複数のプロセス値を表示するプラント監視情報表示システムにおいて、前記プラントからプロセス値ごとの、対応する前記携帯端末のダイヤルボタン情報と、表示枠の色情報とを含む画面構成情報を予め記憶する画面構成情報記憶部と、前記複数のプロセス値を取得するプロセス値取得部と、前記画面構成情報記憶部に記憶された画面構成情報を利用して、前記プロセス値取得部で取得された各プロセス値を、それぞれ対応する装飾情報に基づいて装飾された表示枠内に表示するとともに、前記携帯端末の複数のダイヤルボタンに対応し、それぞれ対応する装飾情報に基づいて装飾された表示情報を生成し、前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、前記表示情報生成部で生成または更新された表示情報を、前記携帯端末の表示画面に表示する表示部とを備えることを特徴とする。
【００１５】
また、本発明のプラント監視情報生成装置は、複数のダイヤルボタンおよび表示画面が設置され、この表示画面に監視対象のプラントの複数のプロセス値を表示する携帯端末に接続されたプラント監視情報生成装置において、前記プロセス値ごとの、対応する前記携帯端末のダイヤルボタン情報と、表示枠の色情報とを含む画面構成情報を予め記憶する画面構成情報記憶部と、前記プラントから複数のプロセス値を取得するプロセス値取得部と、前記画面構成情報記憶部に記憶された画面構成情報を利用して、前記プロセス値取得部で取得された各プロセス値を、それぞれ対応する装飾情報に基づいて装飾された表示枠内に表示するとともに、前記携帯端末の複数のダイヤルボタンに対応し、それぞれ対応する装飾情報に基づいて装飾された表示情報を生成し、前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、前記表示情報生成部で生成または更新された表示情報を、前記携帯端末の表示画面に表示させるために送信する送信部とを備えることを特徴とする。
【００１６】
また、本発明の携帯端末は、複数のダイヤルボタンおよび表示画面が設置され、監視対象のプラントから複数のプロセス値を取得するプロセス値取得装置に接続された携帯端末において、前記プロセス値ごとの、対応する前記携帯端末のダイヤルボタン情報と、表示枠の色情報とを含む画面構成情報を予め記憶する画面構成情報記憶部と、前記複数のプロセス値を前記プロセス値取得装置から取得し、前記画面構成情報記憶部に記憶された画面構成情報を利用して、取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、前記携帯端末のダイヤルボタンの中から選択されたダイヤルボタンの情報を取得すると、この選択されたダイヤルボタンに対応するプロセス値を拡大して表示するように、生成した表示情報を更新する表示情報生成部と、前記表示情報生成部で生成または更新された表示情報を、前記表示画面に表示する表示部とを備えることを特徴とする。
【００１７】
また、本発明のプラント監視情報表示方法は、複数のダイヤルボタンおよび表示画面が設置された携帯端末に、監視対象のプラントの複数のプロセス値を表示するプラント監視情報表示システムが、前記プロセス値ごとの、対応する前記携帯端末のダイヤルボタン情報と、表示枠の色情報とを含む画面構成情報を予め記憶する画面構成情報記憶ステップと、前記プラントから複数のプロセス値を取得するプロセス値取得ステップと、前記画面構成情報記憶ステップで記憶された画面構成情報を利用して、前記プロセス値取得ステップで取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、前記携帯端末のダイヤルボタンの中から選択されたダイヤルボタンの情報を取得すると、この選択されたダイヤルボタンに対応するプロセス値を拡大して表示するように、生成した表示情報を更新する表示情報生成ステップと、前記表示情報生成ステップにより生成または更新された表示情報を、前記携帯端末の表示画面に表示する表示ステップとを有することを特徴とする。
【００１８】
また、本発明のプラント監視情報表示プログラムは、複数のダイヤルボタンおよび表示画面が設置され、監視対象のプラントから複数のプロセス値を取得するプロセス値取得装置に接続された携帯端末に、前記プロセス値ごとの、対応する前記携帯端末のダイヤルボタン情報と、表示枠の色情報とを含む画面構成情報を予め記憶する画面構成情報記憶機能と、前記複数のプロセス値を前記プロセス値取得装置から取得し、前記画面構成情報記憶機能により記憶された画面構成情報を利用して、取得した各プロセス値を、それぞれ対応する装飾情報に基づいて装飾された表示枠内に表示するとともに、自端末の複数のダイヤルボタンに対応し、それぞれ対応する装飾情報に基づいて装飾された表示情報を生成し、前記携帯端末のダイヤルボタンの中から選択されたダイヤルボタンの情報を取得すると、この選択されたダイヤルボタンに対応するプロセス値を拡大して表示するように、生成した表示情報を更新する表示情報生成機能と、前記表示情報生成機能により生成または更新された表示情報を、前記表示画面に表示する表示機能とを実行させることを特徴とする。
【発明の効果】
【００１９】
本発明のプラント監視情報表示システム、およびこれに利用するプラント監視情報生成装置、携帯端末、プラント監視情報表示方法、プラント監視情報表示プログラムによれば、携帯端末の表示画面に、プラントの監視情報を簡易な操作で視認し易く表示させることができる。
【図面の簡単な説明】
【００２０】
【図１】本発明の第１実施形態によるプラント監視情報表示システムの構成を示すブロック図である。
【図２】本発明の第１実施形態によるプラント監視情報表示システムに利用する携帯端末に設けられたダイヤルボタンを示す正面図である。
【図３】本発明の第１実施形態によるプラント監視情報表示システムの動作を示すシーケンス図である。
【図４】本発明の第１実施形態によるプラント監視情報表示システムに利用する携帯端末に表示されたプロセスフロー画面の一例を示す画面表示図である。
【図５】本発明の第１実施形態によるプラント監視情報表示システムに利用する携帯端末に表示されたプロセスフロー画面の一例を示す画面表示図である。
【図６】本発明の第２実施形態によるプラント監視情報表示システムの構成を示すブロック図である。
【図７】本発明の第２実施形態によるプラント監視情報表示システムに利用する携帯端末の画面構成情報記憶部に記憶されるＸＭＬ情報の一例を示す説明図である。
【図８】本発明の第２実施形態によるプラント監視情報表示システムの動作を示すシーケンス図である。
【図９】（ａ）、（ｂ）は、本発明の他の実施形態によるプラント監視情報表示システムに利用する携帯端末に表示された、拡大されたプロセス値の一例を示す画面表示図である。
【図１０】本発明の他の実施形態によるプラント監視情報表示システムに利用する携帯端末に表示されたプロセスフロー画面の一例を示す画面表示図である。
【図１１】従来のプラント監視情報表示システムに利用する携帯端末に表示されたプロセスフロー画面の一例を示す画面表示図である。
【発明を実施するための形態】
【００２１】
《第１実施形態》
本発明の第１実施形態として、サーバで生成されたプラント内の設備の稼動状態を示す画面を、携帯端末で表示させるプラント監視情報表示システムについて説明する。
【００２２】
〈第１実施形態によるプラント監視情報表示システムの構成〉
本実施形態によるプラント監視情報表示システム１００の構成について、図１を参照して説明する。
【００２３】
プラント監視情報表示システム１００は、制御コントローラ１０と、この制御コントローラ１０に接続されたプラント監視情報生成装置としての監視サーバ２０と、監視サーバ２０にネットワーク３０を介して接続された携帯端末４０とを有する。
【００２４】
なお、携帯端末４０とネットワーク３０とは、以下の説明では、ディスプレイ（表示画面寸法）が小さく視認性向上が高い携帯電話端末と携帯電話網との組合せを想定しているが、携帯端末４０にネットワーク３０として携帯電話網や無線ＬＡＮの様なネットワークと組合せが可能なＰＤＡ（個人携帯情報端末）始め小型情報端末を用いる場合でも本発明が適用可能であることは言うまでもない。
【００２５】
制御コントローラ１０は、監視対象のプラント内の設備側に設置された各センサや設備機器から出力されるポンプの稼動状態や流体の流量等を示すプロセス値を取得し、監視サーバ２０に送信する。
【００２６】
監視サーバ２０は、画面構成情報記憶部２１と、コントローラ通信インタフェース部２２と、プロセス値記憶部２３と、端末通信インタフェース部２４と、プロセス値取得部としてのプロセス値抽出部２５と、表示情報生成部２６とを有する。
【００２７】
画面構成情報記憶部２１は、監視対象のプロセス値の識別情報ごとの、自端末内の対応するダイヤルボタン情報、プロセスフロー画面に数値シンボルとして表示させる際の画面内の表示位置情報および表示枠の色情報等を含む画面構成情報を予め記憶する。
【００２８】
コントローラ通信インタフェース部２２は、制御コントローラ１０との通信を行う。
【００２９】
プロセス値記憶部２３は、制御コントローラ１０から送信されたプロセス値を、コントローラ通信インタフェース部２２を介して取得して記憶する。
【００３０】
端末通信インタフェース部２４は、ネットワーク３０を介して携帯端末４０との通信を行う。
【００３１】
プロセス値抽出部２５は、プロセス値記憶部２３に記憶された中から、携帯端末４０から要求された監視場所のプロセス値を抽出し、表示情報生成部２６に送信する。
【００３２】
表示情報生成部２６は、プロセス値抽出部２５から監視対象のプロセス値を取得し、画面構成情報記憶部２１に記憶された画面構成情報を利用して、プロセスの流れを示す画面上にアイコンや数値シンボルを用いてグラフィカルにプロセス値を重畳したプロセスフロー画面の表示情報を生成し、端末通信インタフェース部２４を介して携帯端末４０に送信する。また表示情報生成部２６は、監視員により操作された携帯端末４０のダイヤルボタンの情報を、ネットワーク３０を介して端末通信インタフェース部２４から取得すると、このダイヤルボタン情報に対応するプロセス値を拡大して表示するように表示情報を更新し、端末通信インタフェース部２４を介して携帯端末４０に送信する。
【００３３】
携帯端末４０は、ダイヤルボタン部４１と、操作ボタン情報取得部４２と、サーバ通信インタフェース部４３と、表示部４４とを有する。
【００３４】
ダイヤルボタン部４１は、例えば図２に示すように複数のダイヤルボタン「１」、「２」、「３」、「４」、「５」、「６」、「７」、「８」、「９」、「♯」、「０」、「＊」で構成される。
【００３５】
操作ボタン情報取得部４２は、監視員により操作されたダイヤルボタン部４１のダイヤルボタンの識別情報を取得する。
【００３６】
サーバ通信インタフェース部４３は、ネットワーク３０を介して監視サーバ２０との通信を行う。
【００３７】
表示部４４は、サーバ通信インタフェース部４３を介して監視サーバ２０から受信した表示情報を表示する。
【００３８】
〈第１実施形態によるプラント監視情報表示システムの動作〉
次に、本実施形態におけるプラント監視情報表示システム１００の動作について説明する。
【００３９】
本実施形態において監視対象とするプラントは、ポンプ群１により流入された水が、その下流で２分岐された一方の流路上で弁２により流量が調整されて貯水槽３に貯水され、さらにこの貯水された水が弁４により調整された流量で流出されるとともに、ポンプ群１下流の他方の流路上で弁５により流量が調整されて槽６に貯水され、さらにこの貯水された水が弁７により調整された流量で流出されるように処理が行われる、水処理施設のプラントである。
【００４０】
そして、監視サーバ２０の画面構成情報記憶部２１には、監視対象のプロセス値の識別情報ごとの、対応する携帯端末４０のダイヤルボタン情報、プロセスフロー画面に表示させる際の画面内の表示位置情報および表示枠の色情報等を含む画面構成情報が予め記憶されている。また、この画面構成情報には、当該携帯端末４０のダイヤルボタンに対応するボタン表示を、それぞれ上記の画面構成情報に記憶された色情報により装飾して表示させるためのダイヤルボタン表示情報も含まれている。
【００４１】
画面構成情報記憶部２１に記憶された画面構成情報には、例えば弁２で調整された流量を示すプロセス値に関する数値シンボルの表示に関し、表示するデータの参照先のプロセス値の識別情報が「AI0002.PV」であり、当該数値シンボルの枠の色が「赤色」であり、当該プロセス値に対応する自端末内のダイヤルボタンが「２」であることが示されている。
【００４２】
このように携帯端末４０に画面構成情報が記憶されている状態で、プラントの定期点検時や異常が発生したとき等の緊急時に、当該プラント内のプロセス値等の監視情報を携帯端末４０の表示部４４に表示させることで監視員に提供するときの処理について図３のシーケンス図を参照して説明する。
【００４３】
本実施形態におけるプラント監視情報表示システム１００では、制御コントローラ１０においてプラント内の設備機器やセンサから所定時間間隔で取得されたプロセス値が、監視サーバ２０においてコントローラ通信インタフェース部２２を介して取得され、プロセス値記憶部２３に順次記憶されている（Ｓ１）。このプロセス値として例えば、ポンプの稼動状態（ON/OFF状態）を示す値、流体の流量の計測値、貯水槽の貯水量の計測値等があり、それぞれプロセス値の識別情報が付されている。本実施形態においては、ポンプ群１に流入される水の流量を示すプロセス値には識別情報「AI0001.PV」が付され、弁２で調整された流量を示すプロセス値には識別情報「AI0002.PV」が付され、貯水槽３の貯水量を示すプロセス値には識別情報「AI0003.PV」が付され、弁４で調整された流量を示すプロセス値には識別情報「AI0004.PV」が付され、弁５で調整された流量を示すプロセス値には識別情報「AI0005.PV」が付され、槽６の貯水量を示すプロセス値には識別情報「AI0006.PV」が付され、弁７で調整された流量を示すプロセス値には識別情報「AI0007.PV」が付されているものとする。
【００４４】
このように監視サーバ２０でプロセス値が取得されている状態で、まず監視員により携帯端末４０のダイヤルボタン部４１が操作されて監視サーバ２０にアクセスするためのＵＲＬが入力され（Ｓ２）、この入力情報が操作ボタン情報取得部４２で取得されると当該携帯端末４０と監視サーバ２０との間でリンク接続が行われ、監視サーバ２０のプロセス値抽出部２５に予め保持されているメニュー画面情報がネットワーク３０を介して携帯端末４０で取得されて表示部４４に表示される（Ｓ３、Ｓ４）。このメニュー画面情報には、複数のエリアに分割された監視場所を指定するためのメニューが表示されている。
【００４５】
次に、監視員により携帯端末４０の操作ボタン情報取得部４２が操作されることにより、表示されたメニュー画面の中から所望の監視場所が指定されると、この指定された監視場所の監視情報を要求するための監視情報要求がネットワーク３０を介して監視サーバ２０に送信される（Ｓ５）。
【００４６】
監視サーバ２０では、携帯端末４０から送信された監視情報要求が端末通信インタフェース部２４を介して受信されると、プロセス値抽出部２５においてこの監視情報要求で指定される場所の最新のプロセス値がプロセス値記憶部２３から抽出される（Ｓ６）。ここでは、ポンプ群１に流入される水の流量を示すプロセス値（識別情報「AI0001.PV」）として「3.25」が抽出され、弁２で調整された流量を示すプロセス値（識別情報「AI0002.PV」）として「2.56」が抽出され、貯水槽３の貯水量を示すプロセス値（識別情報「AI0003.PV」）として「4.35」が抽出され、弁４で調整された流量を示すプロセス値（識別情報「AI0004.PV」）として「2.66」が抽出され、弁５で調整された流量を示すプロセス値（識別情報「AI0005.PV」）として「2.56」が抽出され、槽６の貯水量を示すプロセス値（識別情報「AI0006.PV」）として「4.35」が抽出され、弁７で調整された流量を示すプロセス値（識別情報「AI0007.PV」）として「2.66」が抽出されたものとする。
【００４７】
プロセス値抽出部２５で抽出されたプロセス値は表示情報生成部２６に送出される。そして表示情報生成部２６において画面構成情報記憶部２１に記憶された画面構成情報が利用され、受信したプロセス値を、プロセスの流れを示す画面上にアイコンや数値シンボルを用いてグラフィカルに重畳したプロセスフロー画面の表示情報が、画像データで生成される。
【００４８】
生成されたプロセスフロー画面の表示情報は、端末通信インタフェース部２４、ネットワーク３０を介して携帯端末４０に送信される（Ｓ７）。
【００４９】
監視サーバ２０から送信されたプロセスフロー画面の表示情報は携帯端末４０のサーバ通信インタフェース部４３で受信され、表示部４４に表示される（Ｓ８）。表示部４４に表示された表示情報の一例を、図４に示す。
【００５０】
図４では、画面構成情報に従って、参照先の識別情報に対応するプラント情報が数値シンボルによりプロセスフロー画面上に表示され、ポンプ群１に流入される水の流量を示すプロセス値「AI0001.PV」が数値シンボル１ａにより「3.25」と表示され、弁２で調整された流量を示すプロセス値「AI0002.PV」が数値シンボル２ａにより「2.56」と表示され、貯水槽３の貯水量を示すプロセス値「AI0003.PV」が数値シンボル３ａにより「4.35」と表示され、弁４で調整された流量を示すプロセス値「AI0004.PV」が数値シンボル４ａにより「2.66」と表示され、弁５で調整された流量を示すプロセス値「AI0005.PV」が数値シンボル５ａにより「2.56」と表示され、槽６の貯水量を示すプロセス値「AI0006.PV」が数値シンボル６ａにより「4.35」と表示され、弁７で調整された流量を示すプロセス値「AI0007.PV」が数値シンボル７ａにより「2.66」と表示されている。これらの数値シンボルはそれぞれ、画面構成情報で示される色情報により装飾された枠内に表示されている。例えば、数値シンボル２ａには画面構成情報に従って赤色の枠内にプロセス値「2.56」が表示されている。
【００５１】
この表示情報の表示は、監視員から更新を指示する操作が行われるかまたは、所定時間周期で監視サーバ２０から最新のプロセス値を表示させた表示情報が送信されることにより、更新される。
【００５２】
また図４には、画面構成情報に含まれるダイヤルボタン表示情報により、ダイヤルボタンごとに予め設定された色情報に基づいて装飾されたダイヤルボタン表示８も表示されている。例えば、ダイヤルボタン「２」は、赤色で装飾されて表示されている。
【００５３】
このように表示情報が表示部４４に表示されることにより、監視員は表示された各数値シンボルと、各ダイヤルボタンとの対応が、装飾された色により視覚的に容易に認識することができる。
【００５４】
そして、監視員が所望の数値シンボル、例えば数値シンボル２ａを選択したい場合には、この数値シンボル２ａの枠の色と同一の色で装飾されたダイヤルボタン表示８内のダイヤルボタン「２」を視覚的に容易に認識でき、これにより対応するダイヤルボタン部４１内のダイヤルボタン「２」が監視員により操作される。
【００５５】
監視員によりダイヤルボタン部４１内のダイヤルボタン「２」が操作されると、この操作内容が操作ボタン情報取得部４２で取得され、サーバ通信インタフェース部４３およびネットワーク３０を介して監視サーバ２０に送信される（Ｓ９）。
【００５６】
監視サーバ２０では、携帯端末４０から送信されたダイヤルボタン「２」の操作内容が表示情報生成部２６に送出される。
【００５７】
表示情報生成部２６では、監視員により操作されたダイヤルボタン「２」の情報が取得されると、このダイヤルボタン「２」の情報に対応する数値シンボル２ａを拡大して表示するように更新された表示情報が、画像データとして生成される。
【００５８】
表示情報生成部２６において更新された表示情報は、端末通信インタフェース部２４、ネットワーク３０を介して携帯端末４０に送信される（Ｓ１０）。
【００５９】
監視サーバ２０から送信された更新された表示情報は携帯端末４０のサーバ通信インタフェース部４３で受信され、表示部４４に表示される（Ｓ１１）。更新された表示情報が表示部４４に表示されたときの一例を、図５に示す。
【００６０】
図５では、図４のように生成された表示情報のうち、監視員により操作されたダイヤルボタン「２」に対応する数値シンボルが拡大されて数値シンボル１２ａとして表示されている。このとき、数値シンボル１２ａは、拡大前の数値シンボル２ａが表示されていた位置の近傍に表示されることで、数値シンボル２ａが拡大されたものであることが監視員により認識される。
【００６１】
このように選択された数値シンボルが拡大されて表示されることにより、この数値シンボルの枠内に表示されたプロセス値が視認しやすくなる。
【００６２】
以上の本実施形態によれば、監視サーバにおいて生成したプロセスフロー画面を汎用の携帯端末の表示画面に表示させ、所望のプラントのプロセス値を簡易な操作で視認し易く拡大して表示させることができる。そのため、本実施形態のプラント監視情報表示システムでは、各携帯端末にプラント監視のプロセスフロー画面表示専用のプログラムを搭載する必要がなく、一般的なグラフィック処理および監視サーバとの送受信処理が実行可能な携帯端末を利用することができる。
【００６３】
《第２実施形態》
本発明の第２実施形態として、プラント内の設備の稼動状態を示す画面を、携帯端末で生成して表示させるプラント監視情報表示システムについて説明する。
【００６４】
〈第２実施形態によるプラント監視情報表示システムの構成〉
本実施形態によるプラント監視情報表示システム２００の構成について、図６を参照して説明する。
【００６５】
プラント監視情報表示システム２００は、制御コントローラ１０と、この制御コントローラ１０に接続されたプロセス値取得装置としての監視サーバ２０と、監視サーバ２０にネットワーク３０を介して接続された携帯端末４０とを有する。
【００６６】
制御コントローラ１０は、監視対象のプラント内の設備側に設置された各センサや設備機器から出力されるポンプの稼動状態や流体の流量等を示すプロセス値を取得し、監視サーバ２０に送信する。
【００６７】
監視サーバ２０は、コントローラ通信インタフェース部２２と、プロセス値記憶部２３と、端末通信インタフェース部２４と、プロセス値抽出部２５とを有する。これらの各構成要素のうちは、第１実施形態と同様の機能を有するものは、詳細な説明は省略する。
【００６８】
プロセス値抽出部２５は、プロセス値記憶部２３に記憶された中から、携帯端末４０から要求された監視場所のプロセス値を抽出し、端末通信インタフェース部２４およびネットワーク３０を介して携帯端末４０に送信する。
【００６９】
携帯端末４０は、ダイヤルボタン部４１と、操作ボタン情報取得部４２と、サーバ通信インタフェース部４３と、表示部４４と、画面構成情報記憶部４５と、表示情報生成部４６とを有する。これらの各構成要素のうちは、第１実施形態と同様の機能を有するものは、詳細な説明は省略する。
【００７０】
表示部４４は、表示情報生成部４６で生成または更新された表示情報を表示する。
【００７１】
画面構成情報記憶部４５は、監視対象のプロセス値の識別情報ごとの、対応する自端末内のダイヤルボタン情報、プロセスフロー画面に数値シンボルとして表示させる際の画面内の表示位置情報および表示枠の色情報等を含むＸＭＬ情報を、画面構成情報として予め記憶する。
【００７２】
表示情報生成部４６は、サーバ通信インタフェース部４３を介して監視サーバ２０から監視対象のプロセス値を取得し、画面構成情報記憶部４５に記憶された画面構成情報を利用して、プロセスの流れを示す画面上にアイコンや数値シンボルを用いてグラフィカルにプロセス値を重畳したプロセスフロー画面の表示情報を生成する。また表示情報生成部４６は、監視員により操作された携帯端末４０のダイヤルボタン情報を操作ボタン情報取得部４２から取得すると、このダイヤルボタン情報に対応するプロセス値を拡大して表示するように表示情報を更新する。
【００７３】
〈第２実施形態によるプラント監視情報表示システムの動作〉
次に、本実施形態におけるプラント監視情報表示システム２００の動作について説明する。
【００７４】
本実施形態において携帯端末４０の画面構成情報記憶部４５には、監視対象のプロセス値の識別情報ごとの、対応する携帯端末４０のダイヤルボタン情報、プロセスフロー画面に表示させる際の画面内の表示位置情報および表示枠の色情報等を含むＸＭＬ情報が、画面構成情報として予め記憶されている。また、この画面構成情報には、当該携帯端末４０のダイヤルボタンに対応するボタン表示を、それぞれ上記のＸＭＬ情報に記憶された色情報により装飾して表示させるためのダイヤルボタン表示情報も含まれている。
【００７５】
このＸＭＬ情報、およびこのＸＭＬ情報によりプロセスフロー画面の表示情報を生成するためのプログラムは、ネットワーク３０を介して所定の管理サーバ（図示せず）等からダウンロード処理することにより、画面構成情報記憶部４５に記憶させることができる。
【００７６】
画面構成情報記憶部４５に記憶された画面構成情報としてのＸＭＬ情報の一例として、弁２で調整された流量を示すプロセス値に関する数値シンボルの表示に関する部分の情報を図７に示す。
【００７７】
この図７のＸＭＬ情報には、タグ<DigitSymbol id="147">とタグ</DigitSymbol>で囲まれた部分に、当該プロセス値に関する数値シンボルの表示位置情報、当該数値シンボルの文字サイズ等のフォント指定情報、当該数値シンボルに表示するデータの参照先のプロセス値の識別情報、当該数値シンボルの枠の色情報、当該プロセス値に対応する自端末内のダイヤルボタン情報が含まれている。このうち表示するデータの参照先のプロセス値の識別情報としては、タグ<dataID>AI0002.PV</dataID>により「AI0002.PV」であることが示され、当該数値シンボルの枠の色情報としてはタグ<borderColor>255.0.0</borderColor>により色コード「255.0.0」で示される枠の色「赤色」であることが示され、当該プロセス値に対応する自端末内のダイヤルボタン情報としてはタグ<buttonNo>2</buttonNo>によりダイヤルボタン「２」であることが示されている。
【００７８】
このように携帯端末４０に画面構成情報が記憶されている状態で、プラントの定期点検時や異常が発生したとき等の緊急時に、当該プラント内のプロセス値等の監視情報を携帯端末４０の表示部４４に表示させ監視員に提供するときの処理について図８のシーケンス図を参照して説明する。
【００７９】
図８において、ステップＳ２１〜Ｓ２５の処理は、第１実施形態におけるステップＳ１〜Ｓ５の処理と同様であるため、詳細な説明は省略する。
【００８０】
監視サーバ２０において、携帯端末４０から送信された監視情報要求が端末通信インタフェース部２４を介して受信されると、プロセス値抽出部２５においてこの監視情報要求で指定される場所の最新のプロセス値がプロセス値記憶部２３から抽出される。
【００８１】
プロセス値抽出部２５で抽出されたプロセス値は、端末通信インタフェース部２４、ネットワーク３０を介して携帯端末４０に送信される（Ｓ２６）。
【００８２】
監視サーバ２０から送信されたプロセス値は携帯端末４０のサーバ通信インタフェース部４３で受信され（Ｓ２７）、表示情報生成部４６において、画面構成情報記憶部４５に記憶された画面構成情報が利用され、受信したプロセス値を、プロセスの流れを示す画面上にアイコンや数値シンボルを用いてグラフィカルに重畳したプロセスフロー画面の表示情報が生成される。
【００８３】
表示情報生成部４６において生成された表示情報は、表示部４４に図４に示すように表示される（Ｓ２８）。
【００８４】
そして第１実施形態の場合と同様に、監視員により確認したいプロセス値に対応するダイヤルボタン部４１内のダイヤルボタン「２」が操作されると、この操作内容が操作ボタン情報取得部４２で取得され、表示情報生成部４６に送出される（Ｓ２９）。
【００８５】
表示情報生成部４６では、監視員により操作されたダイヤルボタン「２」の情報が操作ボタン情報取得部４２から取得されると、このダイヤルボタン「２」の情報に対応する数値シンボル２ａを拡大して表示するように表示情報が更新される。
【００８６】
表示情報生成部４６において更新された表示情報は、図５に示すように表示部４４に表示される（Ｓ３０）。
【００８７】
以上の本実施形態によれば、携帯端末の表示画面に表示されたプロセスフロー画面上で、所望のプラントのプロセス値を簡易な操作で視認し易く拡大して表示させることができる。本実施形態においては、ゲームプログラムをインストール可能な携帯電話端末のように、所要の条件に合致したプログラムの収録、動作機能がある端末であれば、汎用のものを利用することができる。
【００８８】
この本実施形態によるプラント監視情報表示システムでは、監視サーバと携帯端末との間で表示情報（画像情報）を送受信する必要がなく、第１実施形態の場合に比べて送受信するデータ量を少なく抑えることができるのみならず、標準化されたプロセスフロー表示用のプログラムを予め携帯端末にインストールしておけば、カスタマイズを目的とした表示処理を行う負荷も少なくすることができる。この第２実施形態の携帯端末を動作させる代表的な技術としては、ＪＡＶＡアプレットとＸＭＬ書式を組み合わせる方法がある。
【００８９】
本実施形態によるプラント監視情報表示システムの画面構成情報では、数値シンボルの枠やダイヤルボタンの表示ボタンを色のみで区別する場合について説明したが、ＸＭＬ形式の画面構成情報では、監視サーバ２０と携帯端末４０との間で予め色コードを詳細に取り決めておくことにより、ＨＴＭＬ形式規定以上に多様に数値シンボルの枠および対応するボタン表示を区別する情報を設定することが可能である。
【００９０】
例えば、赤の連続点灯と赤の点滅点灯のように、同じ色であっても点滅の有無で区別して用いることを、簡単な書式で設定することができる。表示する数値シンボルの数が多く、これにより対応するダイヤルボタンも多くなる場合（図２のダイヤルボタンの場合は最大１２個）には、色のみの識別では視覚による差別化がしにくくなるため、上述したような点滅の有無等の装飾情報の設定が可能になることにより、少ない種類の色情報で数値シンボルの枠やダイヤルボタンの表示を区別することができるようになり、監視員の視覚による色の判定間違いを避けることができる。
【００９１】
また、上述した第１実施形態および第２実施形態においては、確認したいプロセス値を選択する際に対応するダイヤルボタンを操作して選択する場合について説明したが、これには限定されず、汎用の携帯電話端末に設けられている上下左右を指定するためのサブダイヤルを用いて表示されたプロセスフロー画面の中から所望の数値シンボルを選択させ、選択された数値シンボルを拡大させるようにしてもよい。このとき、サブダイヤルを操作することにより表示された数値シンボルをプロセスフローの上流から順番に選択できるようにしておくとともに、スキップした位置の数値シンボルを選択したい場合には、スキップ先の数値シンボルの枠の色に対応するダイヤルボタンを操作することにより選択できるようにしておいてもよい。
【００９２】
また、上述した第１実施形態および第２実施形態においては、拡大された数値シンボルは拡大前の数値シンボルの表示位置の近傍に表示される場合について説明したが、これには限定されず、図９（ａ）のように当該プロセスフロー画面の中央に表示されるかまたは、図９（ｂ）のように当該プロセスフロー画面内の表示の邪魔にならないように画面の端や空白エリアに表示されるようにしてもよい。
【００９３】
また、上述した第１実施形態および第２実施形態においては、ダイヤルボタン表示情報により表示されるダイヤルボタン表示は、図４および図５に示すように汎用の携帯電話端末のテンキーの配列に対応した形式で表示される場合について説明したが、これには限定されず、図１０に示すように各ダイヤルボタンを例えば横並び等に並べて表示させるようにしてもよい。
【符号の説明】
【００９４】
１…ポンプ群
１ａ〜７ａ、１２ａ…数値シンボル
２，５…弁
３，６…貯水槽
４，７…弁
８…ダイヤルボタン表示
１０…制御コントローラ
２０…監視サーバ
２１…画面構成情報記憶部
２２…コントローラ通信インタフェース部
２３…プロセス値記憶部
２４…端末通信インタフェース部
２５…プロセス値抽出部
２６…表示情報生成部
３０…ネットワーク
４０…携帯端末
４１…ダイヤルボタン部
４２…操作ボタン情報取得部
４３…サーバ通信インタフェース部
４４…表示部
４５…画面構成情報記憶部
４６…表示情報生成部
【図１】
2011164958.tif 000003
【図２】
2011164958.tif 000004
【図３】
2011164958.tif 000005
【図４】
2011164958.tif 000006
【図５】
2011164958.tif 000007
【図６】
2011164958.tif 000008
【図７】
2011164958.tif 000009
【図８】
2011164958.tif 000010
【図９】
2011164958.tif 000011
【図１０】
2011164958.tif 000012
【図１１】
2011164958.tif 000013